(57)【要約】【課題】負圧に抵抗する力が強く、加えて、屋根上設置用取り付け金具を取り付けるための墨出しの手間を省くことで施工性を向上させることもできる、屋根上設置用取り付け金具及び屋根上設置物用架台の取り付け構造を提供する。【解決手段】屋根上設置用取り付け金具１の底面２３と可動部３とで横葺き屋根材を挟持する。屋根上設置用取り付け金具１の天面２１にスライド金具４を取り付け、スライド金具４と天面２１とに屋根上設置物用架台Ｋを掛け渡し、屋根上設置物用架台Ｋをスライド金具４に固定する。【選択図】        図１９
2008196230.tif 000002
【特許請求の範囲】
【請求項１】
支持部と可動部とを有し、
前記支持部は、
天面と、
天面から下方に伸びる脚部と、
脚部から天面と同じ側に、横方向に伸びる底面とを有しており、
底面の先端には差し込み片が形成されており、
該差し込み片は、
横葺き屋根材の棟側縁を固定している止着具と止着具との間の距離の長さを有しており、
前記可動部は、
押さえ面と、
押さえ面の先端に形成され、前記差し込み片とで屋根材を挟持する押圧部分とを有しており、
支持部の天面と底面の間に、底面と向かい合って可動部の押さえ面が位置しており、
支持部の差し込み片と可動部の押圧部分が向かい合って位置している
屋根上設置用取り付け金具。
【請求項２】
屋根上設置用取り付け金具とスライド金具とを備え、
前記屋根上設置用取り付け金具は、
支持部と可動部とを有し、
前記支持部は、
天面と、
天面から下方に伸びる脚部と、
脚部から天面と同じ側に、横方向に伸びる底面とを有しており、
底面の先端には差し込み片が形成されており、
前記天面は、
屋根上設置物用架台が取り付けられる範囲の桁行き方向距離の長さを有しており、
前記差し込み片は、
横葺き屋根材の棟側縁を固定している止着具と止着具との間の距離の長さを有しており、
前記可動部は、
押さえ面と、
押さえ面の先端に形成され、前記差し込み片とで屋根材を挟持する押圧部分とを有しており、
支持部の天面と底面の間に、底面と向かい合って可動部の押さえ面が位置しており、
支持部の差し込み片と可動部の押圧部分が向かい合って位置しており、
前記スライド金具は、
取り付け面と、取り付け面よりも前方に位置する引っ掛け片とを有しており、
前記屋根上設置用取り付け金具の差し込み片と押圧部分とで屋根材が挟持されており、
スライド金具の取り付け面は、屋根上設置用取り付け金具の底面と押さえ面よりも上方に位置しており、
スライド金具の引っ掛け片は、
屋根上設置用取り付け金具の支持部の天面より下に位置しており、
スライド金具の取り付け面と屋根上設置用取り付け金具の天面とに屋根上設置物用架台が載せられており、
屋根上設置物用架台がスライド金具の取り付け面に固定されることで、
スライド金具の引っ掛け片と屋根上設置物用架台の底面とで屋根上設置用取り付け金具を挟持する
屋根上設置物用架台の取り付け構造。
【発明の詳細な説明】
【技術分野】
【０００１】
本発明は、太陽電池モジュール等の屋根上設置物を取り付ける際に用いる、屋根上設置用取り付け金具および屋根上設置物用架台の取り付け構造に、関するものである。特に、すでに金属製横葺き屋根材で葺かれた屋根に屋根上設置物を取り付ける際にも、用いることができるものである。
【背景技術】
【０００２】
既存の金属製横葺き屋根に太陽電池モジュール等の屋根上設置物を取り付ける際、金属製横葺き屋根材の上に屋根上設置用取り付け金具を載せ、止着具を打ち、野地材や垂木に固定する。そして、屋根上設置物を、架台を介して、屋根上設置用取り付け金具に取り付ける方法が一般的である。屋根上設置用取り付け金具を固定する際、屋根材の上から止着具を打つため、屋根材に穴をあけてしまうことを前提にした工法である。
できれば、屋根材に穴をあけることなく屋根上設置物を取り付けることが望ましい。
そのための方法が開発されつつあり、その従来の技術について、図２４〜図２７に基づき説明する。
【０００３】
図２４・図２５は、特開２００６−５７３９７号公報に開示されている屋根上設置用取り付け金具および屋根上設置物用架台の取り付け構造に関する技術である。太陽電池モジュール等の屋根上設置物を金属製横葺き屋根材で葺かれた屋根の上に取り付ける際に、屋根材に穴をあけることなく施工できるものである。
屋根上設置用取り付け金具１は、天面２１の一端から下方に伸びる脚部２２を有し、脚部２２の下端から、天面２１とは反対方向に略水平に延びる底面２３を有している。底面２３の先端は差し込み片２３ａとなっており、上下に隣接する横葺き屋根材と横葺き屋根材とが嵌り合っている部分に挿入することができる形状である。
脚部２２の上部から可動部３が延出し、可動部３の先端は押圧部分３２となっており、押圧部分３２と差し込み片２３ａとで、前記横葺き屋根材同士が嵌り合っている部分を挟むことができるよう形成されている。底面２３から可動部３にボルトが掛け渡されて、ナットを締めることで可動部３が動き、押圧部分３２と差し込み片２３ａとで横葺き屋根材を挟む構成である。
このような構成の屋根上設置用取り付け金具１を、施工されている横葺き屋根材上に適宜配置する。屋根上設置用取り付け金具１の差し込み片２３ａを、上下に隣接する横葺き屋根材と横葺き屋根材が嵌り合っている部分に差し込み、ボルト・ナットを締めることで可動部３を動かし、押圧部分３２と差し込み片２３ａとで、前記横葺き屋根材同士が嵌り合っている部分をしっかり挟み、屋根上設置用取り付け金具１を取り付ける。
このようにして取り付けられた屋根上設置用取り付け金具１の天面２１に、屋根上設置物用架台の一部材である縦桟Ｔを、掛け渡して固定する。この縦桟Ｔの上に屋根上設置物用架台の他の部材等を用いて、太陽電池モジュール等の屋根上設置物を取り付けていくものである。
【０００４】
図２６、図２７は、特開２０００−２２６９１２号公報に開示されている屋根上設置物用架台の取り付け構造に関する技術である。
これは、屋根上設置物用架台の取り付け構造に関する技術であるが、金属製横葺き屋根材に取り付ける構造ではない。図２６にあるように、立ち上がったはぜ部を有する屋根材に、図２７のスライド金具４を取り付ける構造である。
本発明請求項２にかかる屋根上設置物用架台の取り付け構造もスライド金具を用いて固定するので、スライド金具を用いて固定する構造の公知例として記載する。
このスライド金具４は、取り付け面４１の一端に略Ｕ字形の引っ掛け片４２ａが形成されている。この引っ掛け片４２ａを、屋根材の屋根上設置物用架台Ｋを取り付ける箇所に引っ掛けて、取り付け面４１と屋根材の上に屋根上設置物用架台Ｋを掛け渡して載せる。取り付け面４１と屋根上設置物用架台Ｋが重なっている箇所にボルトをねじ込み、取り付け面４１に屋根上設置物用架台Ｋを固定する。このようにすることで屋根上設置物用架台Ｋの下面と引っ掛け片４２ａの上端とで屋根材を挟んで、屋根上設置物用架台Ｋを屋根材上に固定する。この屋根上設置物用架台Ｋの上に屋根上設置物用架台の他の部材等を用いて、太陽電池モジュール等の屋根上設置物を取り付けていくものである。
【０００５】
【特許文献１】特開２００６−５７３９７号公報
【特許文献２】特開２０００−２２６９１２号公報
【発明の開示】
【発明が解決しようとする課題】
【０００６】
図２４と図２５に示した屋根上設置用取り付け金具１は桁行き方向における長さが短く、上下に隣接する横葺き屋根材と横葺き屋根材とが嵌り合っている部分に、点在して取り付けられる。
太陽電池モジュール等の屋根上設置物を取り付けた場合、風等の影響により発生する、屋根上設置物を持ち上げようとする負圧は、屋根上設置用取り付け金具１にかかる。そして、屋根上設置用取り付け金具１を介して、押圧部分３２と差し込み片２３ａで挟まれている横葺き屋根材同士が嵌り合っている部分に、負圧がかかる。つまり、上に引っ張る力が部分的にかかるのである。部分的に負圧を受けるため、その箇所だけが部分的に変形しやすい状態となる。
横葺き屋根材の屋根上設置用取り付け金具１が取り付けられている箇所が変形すると、その箇所から雨水等が入り込んで雨漏りの原因となったり、屋根上設置用取り付け金具１がゆるんで外れやすくなってしまうという問題が生じる。
【０００７】
また、屋根上設置用取り付け金具１にかかる力は、屋根上設置用取り付け金具が取り付けられている箇所の、上下に隣接する横葺き屋根材と横葺き屋根材とが嵌り合っている部分と、横葺き屋根材の棟側縁を固定している止着具とで、受けることが望ましい。
その点を説明すると、屋根上設置用取り付け金具１が取り付けられている部分が、前記止着具から離れていると、屋根上設置用取り付け金具１にかかる力を、屋根上設置用取り付け金具が取り付けられている箇所の、前記横葺き屋根材同士が嵌り合っている部分だけで受けることになる。この場合、屋根材自体の強度に左右されるが、横葺き屋根材として一般に用いられている屋根材の厚さでは、屋根上設置用取り付け金具１が取り付けられている箇所の屋根材の変形が大きくなってしまう。
それで、横葺き屋根材の棟側縁を固定している止着具の手前に、屋根上設置用取り付け金具１を取り付けることで、屋根上設置用取り付け金具１にかかる力を、屋根上設置用取り付け金具が取り付けられている箇所の屋根材同士が嵌り合っている部分と、横葺き屋根材の棟側縁を固定している止着具とで、受けるのが望ましいのである。
屋根上設置物を屋根に設置する際、大抵、屋根面に対する屋根上設置物のレイアウトのための墨出しを必要とする。 図２４、図２５に記した従来の技術の屋根上設置用取り付け金具１を、横葺き屋根材の棟側縁を固定している止着具の手前に取り付けるためには、屋根面に対する屋根上設置物のレイアウトのための墨出しをした後、さらに各屋根上設置用取り付け金具の位置を決めるための墨出しを必要とする。
そのために、まず、横葺き屋根材の棟側縁を固定している止着具の位置を、把握する作業をする。該止着具の位置を把握したら、その手前に屋根上設置用取り付け金具１を取り付ける必要があるので、屋根上設置用取り付け金具１を取り付ける箇所を明示するために墨出しを行なう。このように、止着具の位置の把握及び墨出し作業が必要になる。この手間を省くことができれば、施工性が向上する。
【０００８】
図２６と図２７に示した屋根上設置物用架台の取り付け構造は、前述の通り、横葺き屋根材に用いる構成ではない。そのため、上記の課題を解決する手段を何ら示唆してはいない。
【０００９】
それで、解決しようとする課題は、既に葺かれた横葺き屋根材に取り付ける際、横葺き屋根材に止着具の穴をあけずに取り付けることができ、負圧に抵抗する力が強く、加えて、各屋根上設置用取り付け金具を取り付けるための墨出しの手間を省略することで施工性を向上させることもできる、屋根上設置用取り付け金具及び屋根上設置物用架台の取り付け構造を提供することである。
【課題を解決するための手段】
【００１０】
本発明請求項１に記載の屋根上設置用取り付け金具は、支持部と可動部とを有している。
支持部は、天面と、天面から下方に伸びる脚部と、脚部から天面と同じ側に、横方向に伸びる底面とを有している。つまり、底面は天面と向かい合っており、底面の先端には差し込み片が形成されている。
この差し込み片は、葺かれている横葺き屋根材の、上下に隣接する横葺き屋根材と横葺き屋根材とが嵌り合っている部分に、差し込むことができる形状である。
そして、支持部の差し込み片は桁行き方向に長さを有しているが、少なくとも、横葺き屋根材の棟側縁を固定している止着具と止着具との間の距離の長さを有している。横葺き屋根材の棟側縁を固定する方法は、吊り子止めや、直打ちなどが一般的であり、止着具として、吊り子部材や釘等が用いられている。この止着具は、一定の間隔で取り付けるのが一般的である。この止着具と止着具との間の距離の長さを、差し込み片は有しており、あるいは、それ以上の長さを有しているのである。一個の支持部の差し込み片の長さが、横葺き屋根材の棟側縁を固定している止着具と止着具との間の距離の長さを有している場合もあれば、一個の支持部の差し込み片の長さが、横葺き屋根材の棟側縁を固定している止着具と止着具との間の距離の長さよりも短く、それを複数連結することで、横葺き屋根材の棟側縁を固定している止着具と止着具との間の距離の長さを有するように構成する場合もある。
可動部は、押さえ面と、押さえ面の先端に形成されている押圧部分とを有している。
支持部の天面と底面の間に、底面と向かい合って可動部の押さえ面が位置しており、支持部の差し込み片と可動部の押圧部分が向かい合って位置している屋根上設置用取り付け金具である。
この支持部の差し込み片と可動部の押圧部分とで屋根材を挟持するように構成されている。つまり、差し込み片を、上下に隣接する横葺き屋根材と横葺き屋根材とが嵌り合っている部分に、差し込み、差し込み片と可動部の押圧部分とで前記横葺き屋根材同士が嵌り合っている部分をしっかりと挟んで、屋根上設置用取り付け金具を屋根材に取り付けることができるように構成されている。
【００１１】
次に、本発明請求項２に記載の屋根上設置物用架台の取り付け構造について説明する。
この屋根上設置物用架台の取り付け構造は、屋根上設置用取り付け金具とスライド金具とを備えている。
屋根上設置用取り付け金具は、前述の屋根上設置用取り付け金具の構成を具備し、それに加え、支持部の天面が、屋根上設置物用架台が取り付けられる範囲の桁行き方向の距離の長さを有している。この点を説明すると、屋根上設置物用架台が取り付けられる範囲は、屋根上設置物の大きさに左右される。屋根上設置物の大きさに合わせて屋根上設置物用架台の大きさが決まり、それらによって、屋根の桁行き方向における屋根上設置物用架台を取り付ける範囲が、決まる。この屋根上設置物用架台が取り付けられる範囲の桁行き方向の距離の長さを有しているのである。
一個の支持部の天面の長さが、屋根上設置物用架台が取り付けられる範囲の桁行き方向の距離の長さを有している場合もあれば、一個の支持部の天面の長さが、屋根上設置物用架台が取り付けられる範囲の桁行き方向の距離の長さよりも短く、それを複数連結することで、屋根上設置物用架台が取り付けられる範囲の桁行き方向の距離の長さを有するように構成する場合もある。
そして、スライド金具は、取り付け面と、取り付け面よりも前方に位置する引っ掛け片とを有している。
まず、屋根上設置物を取り付ける予定の部分に、前述の屋根上設置用取り付け金具を位置させ、上下に隣接する横葺き屋根材と横葺き屋根材とが嵌り合っている部分に屋根上設置用取り付け金具の差し込み片を差し込み、差し込み片と押圧部分とで、前記横葺き屋根材同士が嵌り合っている部分を挟んで挟持する。このようにして、屋根上設置用取り付け金具を屋根材に取り付ける。
スライド金具は屋根上設置用取り付け金具の支持部に取り付けられるが、スライド金具を支持部に取り付けたとき、スライド金具の引っ掛け片は、支持部の天面より下に位置する。スライド金具の取り付け面は、屋根上設置用取り付け金具の底面と押さえ面よりも上方に位置する構成である。
そして、スライド金具の取り付け面と屋根上設置用取り付け金具の天面とにわたって屋根上設置物用架台を載せ、屋根上設置物用架台をスライド金具の取り付け面に固定する。固定方法としては、例えば、雄ねじと雌ねじを利用したネジ止めによる固定がある。スライド金具の取り付け面に雌ねじを設け、屋根上設置物用架台に穴を設け、スライド金具の雌ねじに屋根上設置物用架台の穴を重ねて、上からボルトを差し込んで締めることで固定する方法がある。又その逆に、スライド金具の取り付け面にボルト等の雄ねじの棒を設け、屋根上設置物用架台に穴を設け、スライド金具の雄ねじに屋根上設置物用架台の穴を重ねて、穴に雄ねじを差し込み、ナット等の雌ねじを締めることで固定する方法などがある。
屋根上設置物用架台をスライド金具の取り付け面に固定したとき、スライド金具の引っ掛け片は取り付け面よりも前方に位置しているため、支持部の天面の下に位置し、天面の裏面か、それよりも低い部位に接触している。屋根上設置物用架台は屋根上設置用取り付け金具の天面とスライド金具の取り付け面とに載っているため、引っ掛け片と屋根上設置物用架台の底面とで、屋根上設置用取り付け金具の支持部を挟み込んで挟持する構成である。
この構成によって、屋根上設置用取り付け金具の支持部にスライド金具と屋根上設置物用架台が固定される。
このような屋根上設置物用架台の取り付け構造であり、このようにして取り付けられた屋根上設置物用架台の上に、横桟等の架台を取り付けたりして屋根上設置物を取り付けるのである。
【発明の効果】
【００１２】
本発明請求項１及び請求項２に記載の屋根上設置用取り付け金具についていうと、屋根上設置用取り付け金具の差し込み片は、横葺き屋根材の棟側縁を固定している止着具と止着具との間の距離の長さを有している。この構成は、次のような効果を発揮する。
【００１３】
図２４・図２５の屋根上設置用取り付け金具１は桁行き方向における長さが短く、上下に隣接する横葺き屋根材と横葺き屋根材とが嵌り合っている部分に、点在して取り付けられているため、屋根上設置用取り付け金具１を介してかかる負圧は、前記横葺き屋根材同士が嵌り合っている部分に、部分的にかかり、その箇所だけが部分的に変形しやすい状態となってしまう。
これに対し、本発明請求項１及び請求項２に記載の屋根上設置用取り付け金具の差し込み片は、前述の通り、横葺き屋根材の棟側縁を固定している止着具と止着具との間の距離の長さを有しているという構成である。
このため、屋根上設置用取り付け金具にかかる負圧は、差し込み片の全長に渡って分散し、差し込み片を介して、差し込み片と接している横葺き屋根材の箇所にかかり、その箇所に分散される。こうして、負圧が、横葺き屋根材同士が嵌り合っている部分に、部分的にかかり、その箇所だけが部分的に変形しやすい状態となる事を回避できる。
【００１４】
加えて、差し込み片は横葺き屋根材の棟側縁を固定している止着具と止着具との間の距離の長さを有しているため、上下に隣接する横葺き屋根材と横葺き屋根材とが嵌り合っている部分に、差し込み片を差し込んだとき、屋根の桁行き方向のどこに差し込んでも、差し込み片は、前記横葺き屋根材同士が嵌り合っている部分の、横葺き屋根材の棟側縁を固定している止着具の手前に、差し込まれる。屋根上設置用取り付け金具にかかる負圧は、屋根上設置用取り付け金具が取り付けられている箇所の屋根材同士が嵌り合っている部分と、横葺き屋根材の棟側縁を固定している止着具とで、受けることになる。
【００１５】
このように、屋根材にかかる負圧が、差し込み片の全長に渡って、差し込み片と接している屋根材の箇所に分散され、屋根上設置用取り付け金具が取り付けられている箇所の屋根材同士が嵌り合っている部分と、横葺き屋根材の棟側縁を固定している止着具とで、受けることになり、負圧がかかったときの屋根材の変形を、従来の技術より抑えることができるものである。
ひいては、屋根材が変形した箇所から雨水等が入り込んで雨漏りの原因となったり、屋根上設置用取り付け金具がゆるんで外れやすくなってしまうという問題も、従来の技術より少なくなる。
【００１６】
屋根上設置物を屋根に設置する際、大抵、屋根面に対する屋根上設置物のレイアウトのための墨出しを必要とする。 図２４、図２５に記した従来の技術の屋根上設置用取り付け金具１を、横葺き屋根材の棟側縁を固定している止着具の手前に取り付けるためには、屋根面に対する屋根上設置物のレイアウトのための墨出しをした後に、さらに止着具の位置の把握及び各屋根上設置用取り付け金具の位置を決めるための墨出しを必要とする。
これに対し、本発明請求項１及び請求項２に記載の屋根上設置用取り付け金具の差し込み片は、前述の通り、横葺き屋根材の棟側縁を固定している止着具と止着具との間の距離の長さを有しているという構成である。このため、上下に隣接する横葺き屋根材と横葺き屋根材とが嵌り合っている部分に、差し込み片を差し込んだとき、どこに差し込んでも、差し込み片は、前記横葺き屋根材同士が嵌り合っている部分の、横葺き屋根材の棟側縁を固定している止着具の手前に、差し込まれる。
屋根上設置物を屋根に設置する際、屋根面に対する屋根上設置物のレイアウトのための墨出しは、大抵の場合必須の工程なので、屋根面に対する屋根上設置物のレイアウトのための墨出しを行なう。しかし、各屋根上設置用取り付け金具の位置を決めるための墨出しは必要としない。前述の通り、上下に隣接する横葺き屋根材と横葺き屋根材とが嵌り合っている部分に、屋根上設置用取り付け金具の差し込み片を差し込んだとき、どこに差し込んでも、差し込み片は、前記横葺き屋根材同士が嵌り合っている部分の、横葺き屋根材の棟側縁を固定している止着具の手前に、差し込まれるからである。
つまり、横葺き屋根材の棟側縁を固定している止着具の位置を把握する作業をせず、また該止着具の手前に屋根上設置用取り付け金具を取り付けるための墨出しを行なわなくても、横葺き屋根材の棟側縁を固定している止着具の手前に、屋根上設置用取り付け金具の差し込み片を差し込んで取り付けることができるのである。
このように、屋根面に対する屋根上設置物のレイアウトのための墨出しをした後は、各屋根上設置用取り付け金具を取り付けるのための墨出しの手間を省略することができ、施工性が向上するという効果もある。
【００１７】
本発明請求項２に記載の屋根上設置物用架台の取り付け構造についていうと、前述の請求項１に記載した屋根上設置用取り付け金具が有する効果を有し、加えて、次のような効果も有する。
屋根上設置用取り付け金具の支持部の天面は、屋根上設置物用架台が取り付けられる範囲の桁行き方向の距離の長さを有している構成である。このため、スライド金具を、屋根上設置物用架台を取り付けるための桁行き方向における所要の位置に、取り付けることができる。
例えば、屋根上設置物の大きさや、設置する地域、設置する屋根の高さ等の様々な状況により、屋根上設置物用架台を取り付ける数や位置は変わってくる。この場合、スライド金具の数を増減したり、スライド金具を取り付ける位置を変えたりして、対応する。このとき、屋根上設置用取り付け金具の支持部の天面は、屋根上設置物用架台が取り付けられる範囲の桁行き方向の距離の長さを有しているので、スライド金具を、屋根上設置物用架台を取り付けるための桁行き方向における所要の位置に、取り付けることができるのである。
【実施例】
【００１８】
本発明にかかる屋根上設置用取り付け金具の実施例について、図１〜図１６に基づいて説明する。この実施例は、本発明にかかる屋根上設置用取り付け金具を、金属製横葺き屋根材に使用する場合の一実施例である。
図１は屋根上設置用取り付け金具１の斜視図であり、図２は図１を背面側から見た斜視図、図３は断面図である。
また、図４は支持部２の斜視図であり、図５は断面図である。図６は、図４の支持部２に設計変更を加えたものの端部を拡大した図である。
図７は可動部３の斜視図であり、図８は図７を背面側から見た斜視図である。
図９と図１０は、図１の屋根上設置用取り付け金具１に設計変更を加えた図である。
図１１〜図１６は使用状態等の説明図である。
【００１９】
図１に見られるように、本実施例にかかる屋根上設置用取り付け金具１は、支持部２と可動部３との二部材を有している。図２に見られるように、屋根上設置用取り付け金具１の可動部３が設けられている側の反対側には、補助金具Ｈが取り付けられている。この補助金具Ｈによって、正圧がかかったときに屋根上設置用取り付け金具１が軒側に倒れようとするのを防ぐことができる。また、可動部３と差し込み片２３ａとで屋根材を締め付けていったときに、屋根上設置用取り付け金具１が軒側に倒れようとするのを防ぎ、屋根材にしっかり締め付けることができる。
【００２０】
支持部２は、天面２１と、天面２１から下方に伸びる脚部２２と、脚部２２から天面２１と同じ側に、横方向に伸びる底面２３とを有している。
この実施例において、天面２１は前方が下方に折り曲げられている断面倒Ｌ字形をしており、その下方に折り曲げられている部分は、天面の一部である天面下がり片２１ａとなっている。脚部２２は、途中に段差が設けられており、この段差によって、支持部２自体の剛性を高めている。
底面２３の、脚部２２から連続している部分は傾斜しており、傾斜面２３ｂとなっている。この実施例において、傾斜面２３ｂには後述するボルトを通すための穴Ａがあけられている。また、傾斜面２３ｂの低い部分には、水抜きのための水抜き穴ＭＡが設けられている。
そして、底面２３の先端には差し込み片２３ａが形成されている。この差し込み片２３は、葺かれている横葺き屋根の、上下に隣接する横葺き屋根材Ｙと横葺き屋根材Ｙとが嵌り合っている部分に、差し込むことができる形状である（図１２参照）。やや波打って形成され、底面２３自体の剛性を高めている。
【００２１】
そして、支持部２の差し込み片２３ａは桁行き方向に長さを有しているが、少なくとも、横葺き屋根材の棟側縁を固定している止着具Ｓと止着具Ｓとの間の距離の長さを有している（図１３参照）。
横葺き屋根材の棟側縁を固定する方法は、吊り子止め（図１２〜図１５参照）や、直打ちなどが一般的であり、止着具Ｓとして、吊り子部材や釘等が用いられ、一定の間隔で取り付けるのが一般的である。
この止着具Ｓと止着具Ｓとの間の距離の長さを、差し込み片２３ａは有しており、あるいは、それ以上の長さを有しているのである。一個の支持部２の差し込み片２３ａの長さが、横葺き屋根材Ｙの棟側縁を固定している止着具Ｓと止着具Ｓとの間の距離の長さよりも短く、それを複数連結することで、横葺き屋根材Ｙの棟側縁を固定している止着具Ｓと止着具Ｓとの間の距離の長さを有するように構成する場合もある。
その点をさらに詳しく説明する。
【００２２】
図１３に示した屋根上設置用取り付け金具１は、一個の支持部２の差し込み片２３ａの長さが、横葺き屋根材Ｙの棟側縁を固定している止着具Ｓと止着具Ｓとの間の距離の長さのものである。この屋根上設置用取り付け金具１を、わずかに間隔をあけて横葺き屋根材Ｙに取り付けた様子である。
差し込み片２３ａの長さは、横葺き屋根材Ｙの棟側縁を固定している止着具Ｓと止着具Ｓとの間の距離を有していればよく、それを横葺き屋根材Ｙに取り付けていけばよい。
差し込み片２３ａは、横葺き屋根材Ｙの棟側縁を固定している止着具Ｓと止着具Ｓとの間の距離の長さを有しているので、上下に隣接する横葺き屋根材Ｙと横葺き屋根材Ｙとが嵌り合っている部分に、差し込み片２３ａを差し込んだとき、どこに差し込んでも、差し込み片２３ａは、横葺き屋根材Ｙ同士が嵌り合っている部分の、横葺き屋根材Ｙの棟側縁を固定している止着具Ｓの手前に、差し込まれる。つまり、屋根面に対する屋根上設置物のレイアウトのための墨出しをした後は、横葺き屋根材Ｙの棟側縁を固定している止着具Ｓの位置を把握する作業をせず、また止着具Ｓの手前に屋根上設置用取り付け金具１を取り付けるための墨出しを行なわなくても、横葺き屋根材Ｙの棟側縁を固定している止着具Ｓの手前に、屋根上設置用取り付け金具１の差し込み片２３ａを差し込んで取り付けることができるのである。
【００２３】
図１４に示した屋根上設置用取り付け金具１は、一個の支持部２の差し込み片２３ａの長さが、横葺き屋根材Ｙの棟側縁を固定している止着具Ｓと止着具Ｓとの間の距離の長さよりも、やや長くなっている。この屋根上設置用取り付け金具１を、ジョイント金具Ｊでつないで一本にしたものである。
ジョイント金具Ｊでつなぐ一例の説明図が図１１である。支持部２の形状に合わせて成型されたジョイント金具Ｊを、留め具Ｂで支持部２にとめる。この一例をさらに説明すると、支持部２とジョイント金具Ｊには、留め具Ｂのための穴Ａが設けられている。隣り合う支持部２を突き合わせ、そこへジョイント金具Ｊを重ね、重なり合った穴Ａに留め具Ｂを通して固定する。これは一例にすぎず、当業者であれば、支持部２を連結させる方法は各種考えつく。
図１５に示した屋根上設置用取り付け金具１は、異なる長さの屋根上設置用取り付け金具１を、ジョイント金具Ｊでつないで一本にしたものである。
一個の支持部２の差し込み片２３ａの長さが、横葺き屋根材Ｙの棟側縁を固定している止着具Ｓと止着具Ｓとの間の距離の長さよりも短いものであっても、屋根上設置用取り付け金具１と屋根上設置用取り付け金具１とをジョイント金具Ｊでつなぐことで、差し込み片２３ａの長さは、横葺き屋根材Ｙの棟側縁を固定している止着具Ｓと止着具Ｓとの間の距離の長さを有するものとなり、本発明請求項１および２記載の屋根上設置用取り付け金具１の構成要件を満たすものである。
様々な長さの屋根上設置用取り付け金具１を用意しておき、それをジョイント金具Ｊでつなぐことで、各種の現場に対応することができる。また、屋根上設置用取り付け金具１の長さを運搬に適した長さに設定するならば、運搬作業も取り付け作業も行ないやすくなる。
ジョイント金具Ｊでつなぐことで、横葺き屋根材Ｙの棟側縁を固定している止着具Ｓと止着具Ｓとの間の距離を有するようにすればよい。
【００２４】
また、図１４、図１５のように、屋根上設置用取り付け金具１をジョイント金具Ｊでつないで、支持部２の天面２１が、屋根上設置物用架台が取り付けられる範囲の桁行き方向の距離の長さを有するように構成することもできる。
つまり、屋根上設置物用架台が取り付けられる範囲は、屋根上設置物の大きさに左右され、屋根上設置物の大きさに合わせて屋根上設置物用架台の大きさが決まり、それらによって、屋根の桁行き方向における屋根上設置物用架台を取り付ける範囲が、決まる。この屋根上設置物用架台が取り付けられる範囲の桁行き方向の距離の長さを、屋根上設置用取り付け金具１の天面２１が有するように構成する。
一個の屋根上設置用取り付け金具１の支持部２の天面２１の長さが、屋根上設置物用架台が取り付けられる範囲の桁行き方向の距離の長さを有するように、製造しても良いが、そうすると、運搬時や施工時に不便さが生じる。
運搬や施工に適した適宜の長さに屋根上設置用取り付け金具１を製造し、それを現場等でジョイント金具Ｊでつないで、支持部２の天面２１が、屋根上設置物用架台が取り付けられる範囲の桁行き方向の距離の長さを有するように構成しても、本発明請求項２記載の屋根上設置用取り付け金具１の構成要件を満たすものである。
【００２５】
図６は、支持部２に設計変更を加えた例を表している。この支持部２は、天面２１よりも差し込み片２３ａの方が、桁行き方向における長さが、長く形成されている。屋根上設置物に負圧がかかったとき、その負圧を少しでも多くの屋根面で受けるように、天面２１よりも差し込み片２３ａの方が長く形成されているのである。
【００２６】
可動部３は、押さえ面３１と、押さえ面３１の先端に形成されている押圧部分３２とを有し、支持部２の脚部２２に取り付けるための固定面３３を有している。この実施例において、支持部２と可動部３とが別部材として作られているため、支持部２に可動部３を取り付ける必要がある。支持部２の脚部２２に可動部３の固定面３３を重ね、予めあけてあった穴にボルトを通し、ナットで締めることで、支持部２と可動部３を一部材とすることができる。
【００２７】
差し込み片２３ａと可動部３の押圧部分３２とで横葺き屋根材Ｙ同士が嵌り合っている部分を挟んで挟持する構成なので、可動部３は差し込み片２３ａに向かって動くように構成される。この実施例においては、押さえ面３１と固定面３３とをつないでいる部分が、幅の狭い湾曲した面になっている。
押さえ面３１には穴Ａがあけられており、底面２３の傾斜面２３ｂに設けられた穴Ａから押さえ面３１に設けられた穴にかけてボルトが通され、押さえ面３１の上から該ボルトにナットを通している。このナットを締めることで押さえ面３１が押され、差し込み片２３ａと押圧部分３２とで横葺き屋根材Ｙ同士が嵌り合っている部分を挟持する構成である。
【００２８】
支持部２の脚部２２に可動部３の固定面３３を重ね、予めあけてあった穴にボルトを通し、ナットで締めることで、支持部２に可動部３が取り付けられ、支持部２の天面２１と底面２３の間に、底面２３と向かい合って可動部３の押さえ面３１が位置し、支持部２の差し込み片２３ａと可動部３の押圧部分３２が向かい合って位置するのである。
【００２９】
前述したとおり、屋根上設置用取り付け金具１はジョイント金具Ｊにて接続することで、長さを調整できる。図１に示した屋根上設置用取り付け金具１のような長さであっても良いし、図９や図１０に示した短いものであっても良い。これらをジョイント金具等を用いて接続することで、要件を満たす長さを有する屋根上設置用取り付け金具１にすることができる。もちろん、運搬や施工において不便さが生じないのであれば、初めから所要の長さを有する屋根上設置用取り付け金具１を製造しても良い。
【００３０】
このようにして構成された屋根上設置用取り付け金具１を用いる様子を、図１２〜図１５から説明する。
屋根上設置用取り付け金具１の差し込み片２３ａを、上下に隣接する横葺き屋根材Ｙと横葺き屋根材Ｙとが嵌り合っている部分に、差し込む。そして、可動部３に取り付けられたボルトを締めることで可動部３を動かし、差し込み片２３ａと可動部３の押圧部分３２とで横葺き屋根材Ｙ同士が嵌り合っている部分を挟んで挟持する。
屋根上設置用取り付け金具１を横葺き屋根材Ｙに取り付けた後、屋根上設置物用架台Ｋを屋根上設置用取り付け金具１の天面２１に固定する。例えば、屋根上設置物用架台Ｋを屋根上設置用取り付け金具１の天面２１に載せ、ボルト、ナット等で固定するのである。
屋根上設置物を取り付けるために、さらに他の架台用部材が必要な場合がある。例えば、図１３〜図１５に図示した横桟Ｃがそれである。それら必要な部材を屋根上設置物用架台Ｋの上に構成して屋根上設置物を取り付ける。
【００３１】
この実施例においては傾斜面２３ｂが形成されているため、可動部３に取り付けられたボルトを締める際、屋根上設置用取り付け金具１の天面２１に阻まれることなく締めることができる。
仮に傾斜面２３ｂを設けずに、図２５のような、可動部３から底面２３にボルトがほぼ垂直に掛け渡されて、ナットを締めることで可動部３が動き、押圧部分３２と差し込み片２３ａとで横葺き屋根材の軒側縁を挟む構成を、採用する。そうすると、本発明にかかる屋根上設置用取り付け金具１は、天面２１を有しているため、その天面２１が邪魔になって、可動部３のボルトが締めにくくなる。
この実施例は、傾斜面２３ｂを設けているため、可動部３を締めるためのボルトを斜めに設置することができる。そのため、天面２１に阻まれることなくボルトを締めることができ、差し込み片２３ａと押圧部分３２とで横葺き屋根材Ｙ同士が嵌り合っている部分を挟持する作業が容易になる。
【００３２】
屋根上設置用取り付け金具１の長さが、屋根上設置物の桁行き方向における長さよりも長い場合の例が、図１６である。このように屋根上設置物の桁行き方向における長さよりも屋根上設置用取り付け金具１の方が長いと、屋根上設置物にかかる負圧によって横葺き屋根材Ｙが上に引き上げられる力を、より多くの屋根面積で負担することができる。
【００３３】
さて、本発明にかかる屋根上設置用取り付け金具に屋根上設置物を取り付ける際、前述の方法は、屋根上設置用取り付け金具１の天面２１に屋根上設置物用架台Ｋを直接固定している。天面２１に屋根上設置物用架台Ｋを固定する別の方法として、スライド金具を用いて取り付ける実施例について、図１７〜図２３に基づいて説明する。
図１７はスライド金具４の斜視図であり、図１８〜図２１はスライド金具４を用いた場合の使用状態を表す図である。図２２はスライド金具４の他の実施例の斜視図であり、図２３は図２２のスライド金具４を用いた場合の使用状態を表す図である。
【００３４】
請求項２に記載した要件を満たすスライド金具は取り付け面４１と、取り付け面４１よりも前方に位置する引っ掛け片４２ａとを有している。図２７に示した従来の技術のスライド金具４も取り付け面４１と、取り付け面４１よりも前方に位置する引っ掛け片４２ａとを有しているので、これを用いてもよい。
しかし、図２７に示したスライド金具４は、屋根上設置物用架台Ｋを取り付けることによって、屋根材にスライド金具４を取り付けている。言い換えると、屋根上設置物用架台Ｋを取り付けるまでは、作業者が押さえていないと、スライド金具４は屋根上設置用取り付け金具１から落ちてしまう。これでは施工性が悪い。作業者が押さえていなくても、スライド金具４を、所要の位置に引っ掛けておくことができれば、作業がしやすい。
そこで、屋根上設置用取り付け金具１に引っ掛けておくことができるスライド金具４を提案する。
【００３５】
そのスライド金具４の一実施例を図１７から説明する。
スライド金具４は、取り付け面４１と、取り付け面４１よりも前方に伸びて位置する引っ掛け片４２ａとを有している。この実施例のスライド金具４は、カットされた板金を折り曲げて形成されている。
取り付け面４１の左右それぞれに内側側面４２と外側側面４３とが形成されており、内側側面４２の下辺と外側側面４３の下辺とは連結面４４でつながっている。内側側面４２と外側側面４３は、略平行に形成されている。取り付け面４１には、バーリング加工やセルフクリンチングファスナー等により、雌ねじとなる穴ＮＡが形成されている。あるいは、穴をあけた後、ナットを使って、雌ねじを設けても良い。
内側側面４２は、取り付け面４１の左右が折り下げられて形成されており、取り付け面４１よりも前方に伸びている。取り付け面４１よりも前方に伸びている部分は、先端において上方に凸の形状をしている倒Ｌ字形の面板である、引っ掛け片４２ａとなっている。
内側側面４２の下辺が外側に略水平に折り曲げられて連結面４４となっており、連結面４４の外側辺から上方に折り曲げられて外側側面４３が形成されている。
外側側面４３は、取り付け面４１よりも前方に伸びており、外側側面４３の上端は、取り付け面４１よりも高い。取り付け面４１よりも前方に伸びており、かつ、取り付け面４１よりも高い部分は、アーム４３ａとなっている。
引っ掛け片４２ａとアーム４３ａは、いずれも取り付け面４１よりも前方に伸びており、両者の間に屋根上設置用取り付け金具１の天面２１を差し込むことができるように設計されている。例えば、図１７のスライド金具４は、引っ掛け片４２ａの先端の上方に凸の形状をした部分とアーム４３ａの間には、屋根上設置用取り付け金具１の天面２１と天面下がり片２１ａを差し込むことができる。スライド金具４の引っ掛け片４２ａの先端の上方に凸の形状をした部分とアーム４３ａの間に、屋根上設置用取り付け金具１の天面２１と天面下がり片２１ａを差し込んだとき、取り付け面４１が天面２１よりもわずかに低くなるように設計されている。
【００３６】
スライド金具４を用いる場合の屋根上設置用取り付け金具１は、支持部２の天面２１が、屋根上設置物用架台が取り付けられる範囲の桁行き方向の距離の長さを有するように構成したものが望ましい。
一個の屋根上設置用取り付け金具１の支持部２の天面２１の長さが、屋根上設置物用架台が取り付けられる範囲の桁行き方向の距離の長さを有するように、製造しても良いが、図１４、図１５、図２０、図２１に示した屋根上設置用取り付け金具１のように、運搬や施工に適した適宜の長さに屋根上設置用取り付け金具１を製造し、それを現場等でジョイント金具Ｊでつないで、支持部２の天面２１が、屋根上設置物用架台が取り付けられる範囲の桁行き方向の距離の長さを有するように構成してもよい。
屋根上設置物用架台が取り付けられる範囲の桁行き方向の距離の長さは、屋根上設置物の大きさによって異なる。必要に応じて、何種類かの長さの屋根上設置用取り付け金具１を用意しておけば、それを組み合わせてジョイント金具Ｊでつなぐことで、屋根上設置物用架台が取り付けられる範囲の桁行き方向の距離の長さを有する屋根上設置用取り付け金具１を提供できる。
【００３７】
まず、屋根上設置物を取り付ける予定の部分に、前述の屋根上設置用取り付け金具１を位置させ、上下に隣接する横葺き屋根材Ｙと横葺き屋根材Ｙとが嵌り合っている部分に屋根上設置用取り付け金具１の差し込み片２３ａを差し込み、差し込み片２３ａと押圧部分３２とで、前記横葺き屋根材同士が嵌り合っている部分を挟んで挟持する。このようにして、屋根上設置用取り付け金具１を屋根材に取り付ける。
【００３８】
スライド金具４を屋根上設置用取り付け金具１の支持部２の天面２１に取り付ける（図１８参照）。
図１７に示したスライド金具４は、引っ掛け片４２ａとアーム４３ａは、いずれも取り付け面４１よりも前方に伸びており、引っ掛け片４２ａの先端の上方に凸の形状をした部分とアーム４３ａの間には、屋根上設置用取り付け金具１の天面２１と天面下がり片２１ａを差し込むことができる。ここに屋根上設置用取り付け金具１の天面２１と天面下がり片２１ａを差し込むことで、スライド金具４を屋根上設置用取り付け金具１の天面２１に引っ掛けるようにして、取り付ける。いわば、仮止めである。
スライド金具４を支持部２の天面２１に引っ掛けるようにして仮止めしたとき、図１９に示したように、スライド金具４の引っ掛け片４２ａは、支持部２の天面２１の下に位置している。アーム４３ａは、天面２１に載っている。このように、スライド金具４は屋根上設置用取り付け金具１の天面２１に引っ掛けるようにして、取り付けられている。
【００３９】
支持部２の天面２１が、屋根上設置物用架台が取り付けられる範囲の桁行き方向の距離の長さを有するように構成されているため、スライド金具４を、屋根上設置用取り付け金具の天面２１に沿って、屋根上設置物用架台Ｋが取り付けられる範囲の桁行き方向における所要の箇所に取り付けたり、移動させたりすることができる。
この点をさらに詳しく説明する。
【００４０】
例えば図１９〜図２１のように、屋根の流れ方向に沿って一つの屋根上設置物用架台Ｋを取り付けるために、屋根の流れ方向に沿って二個のスライド金具４を配置し、その二個のスライド金具４に屋根上設置物用架台Ｋを掛け渡すことで取り付ける場合について説明する。
この場合、まず、二つの屋根上設置用取り付け金具１を平行に配置する。一方の屋根上設置用取り付け金具１の天面２１の所要の位置に、スライド金具４を引っ掛けるようにして取り付ける。もう一方の屋根上設置用取り付け金具１の天面２１に、スライド金具４を引っ掛けるようにして取り付け、先のスライド金具４と屋根の流れ方向において並ぶように位置させる。このようにして屋根の流れ方向に沿って配置された二個のスライド金具４に、屋根上設置物用架台Ｋを掛け渡して取り付ける。
屋根上設置用取り付け金具１の支持部２の天面２１は、屋根上設置物用架台Ｋが取り付けられる範囲の桁行き方向の距離の長さを有しているので、スライド金具４を、屋根上設置物用架台Ｋを取り付けるための桁行き方向における所要の位置に取り付けることができる。
屋根上設置物の大きさや、設置する地域、設置する屋根の高さ等の様々な状況により、屋根上設置物用架台Ｋを取り付ける数や位置は変わってくる。この場合、屋根上設置用取り付け金具１の数と、屋根上設置用取り付け金具１に取り付けるスライド金具４の数を、増減したり、スライド金具４を取り付ける位置を変えたりして、対応する。このとき、屋根上設置用取り付け金具１の支持部の天面２１は、屋根上設置物用架台Ｋが取り付けられる範囲の桁行き方向の距離の長さを有しているので、スライド金具４を、屋根上設置物用架台を取り付けるための桁行き方向における所要の位置に、取り付けることができるのである。
【００４１】
スライド金具４を屋根上設置用取り付け金具１の天面２１に引っ掛けるようにして仮止めした後、スライド金具４の取り付け面４１と屋根上設置用取り付け金具１の天面２１とにわたって屋根上設置物用架台Ｋを載せる。屋根上設置物用架台Ｋには予め、ボルト等の留め具Ｂを通すための穴を設けておき、その穴を、スライド金具４の取り付け面４１に設けられている雌ねじとなる穴ＮＡに重ね、ボルト等の留め具Ｂを通して締め付けることで、屋根上設置物用架台Ｋをスライド金具４の取り付け面４１に固定する（図１９〜図２１参照）。あるいは、雌ねじとなる穴ＮＡを単なる穴とし、ナットを使って、ボルト等の留め具Ｂを締め付けても良い。
スライド金具４の引っ掛け片４２ａの先端の上方に凸の形状をした部分とアーム４３ａの間に、屋根上設置用取り付け金具１の天面２１を差し込んだとき、取り付け面４１が天面２１よりもわずかに低くなるように設計されているので、屋根上設置物用架台Ｋをスライド金具４の取り付け面４１に固定する際、ボルト等の留め具Ｂを強固に締め付けることができる。
【００４２】
屋根上設置物用架台Ｋをスライド金具４の取り付け面４１に固定したとき、図１９に示したように、引っ掛け片４２ａの先端の上方に凸の形状をした部分が、天面２１の裏面に接触し、天面２１の天面下がり片２１ａは、引っ掛け片４２ａの取り付け面４１寄りの部分に接触する。スライド金具４の引っ掛け片４２ａと屋根上設置物用架台Ｋの底面とで、支持部２の天面２１と天面下がり片２１ａを挟み込んで挟持する。
この構成によって、屋根上設置用取り付け金具１の支持部２にスライド金具４と屋根上設置物用架台Ｋが固定される。
【００４３】
この実施例のように、屋根上設置物用架台Ｋが、スライド金具４の取り付け面４１に、雌ねじとなる穴ＮＡにボルト等の留め具Ｂを通して締め付けることで固定される場合、スライド金具４の位置を調整したいとき、ボルト等の留め具Ｂをゆるめることで、スライド金具の位置を調整することができる。留め具Ｂをゆるめて、スライド金具４を天面２１に沿って適宜の位置に移動させ、留め具Ｂを締めることで固定することにより、スライド金具４の位置を調整できるのである。
これに対し、図２４、図２５に記載の屋根上設置用取り付け金具１は、屋根材を屋根上設置用取り付け金具１で挟んで固定した後に、屋根上設置用取り付け金具１の位置調整をする必要が生じた場合、屋根上設置用取り付け金具１を外して、移動させ、再度屋根上設置用取り付け金具１で屋根材を挟んで固定しなければならない。そうすると、先に挟持された部分の屋根材が、やや変形してしまっており、また、屋根上設置用取り付け金具１の可動部もやや変形してしまっているという問題が生じる。このように、１回取り付けた後、位置調整のため移動させる作業は、他の問題を生じさせる。
本実施例は、それらの問題を生じさせることなく、ボルト等の留め具Ｂをゆるめることで、スライド金具の位置を調整することができるという効果を発揮する。
本実施例は、屋根上設置物用架台Ｋにはボルト等の留め具Ｂを通すための穴を設けておき、スライド金具４の取り付け面４１には雌ねじとなる穴ＮＡを設けている。屋根上設置物用架台Ｋに設けた穴を、スライド金具４の取り付け面４１に設けた雌ねじとなる穴ＮＡに重ね、ボルト等の留め具Ｂを通して締め付ける方法を採用している。
その逆に、スライド金具の取り付け面４１にボルト等の雄ねじの棒を設け、屋根上設置物用架台に穴を設け、スライド金具の雄ねじに屋根上設置物用架台の穴を重ねて、穴に雄ねじを差し込み、ナット等の雌ねじを締めることで固定する方法を採用しても良い。
雄ねじと雌ねじを利用したネジ止めによる固定方法は、様々な方法がある。それらの方法でスライド金具の取り付け面４１と屋根上設置物用架台Ｋをネジ止めすることで、前述のスライド金具４の位置を調整することができるという効果を有する。
【００４４】
このような屋根上設置物用架台の取り付け構造であり、このようにして取り付けられた屋根上設置物用架台Ｋの上に、必要に応じ、横桟Ｃ等その他の架台を取り付けて、屋根上設置物を取り付ける。
【００４５】
前述のスライド金具に設計変更を加えたものを、他の実施例として、図２２、図２３から説明する。
この実施例は、前述のスライド金具４に比べ、引っ掛け片４２ａが短い実施例である。
このような実施例でも、請求項２に記載した構成要件を満たしており、又、その効果も発揮する例として記載する。
【００４６】
スライド金具４は、取り付け面４１と、取り付け面４１よりも前方に位置する引っ掛け片４２ａとを有している。この実施例のスライド金具４は、カットされた板金を折り曲げて形成されている。
スライド金具４の取り付け面４１には、バーリング加工やセルフクリンチングファスナー等により、雌ねじとなる穴ＮＡが形成されている。あるいは、穴をあけた後、ナットを使って、雌ねじ機構を設けても良い。
取り付け面４１の左右それぞれから上方に折り曲げられて、取り付け面４１よりも前方に伸びているアーム４３ａが形成されている。アーム４３ａは、取り付け面４１よりも前方に伸びており、かつ、取り付け面４１よりも高い部分に位置している。
取り付け面４１の前部分から下方に折り曲げられて、下がり面４５が形成されており、下がり面４５の左右が前方に折り曲げられて引っ掛け片４２ａが形成されている。引っ掛け片４２ａの上端は、上方に凸の形状をしており、取り付け面４１よりも低い位置にある。
引っ掛け片４２ａとアーム４３ａは、いずれも取り付け面４１よりも前方に位置し、両者の間に屋根上設置用取り付け金具１の天面２１と天面下がり片２１ａを差し込むことができるように設計されている。例えば、図２２のスライド金具４は、引っ掛け片４２ａを天面下がり片２１ａに引っ掛けて、アーム４３ａを回転させながら天面２１に載せることで、引っ掛け片４２ａとアーム４３ａの間に屋根上設置用取り付け金具１の天面２１と天面下がり片２１ａを差し込むことができる。
【００４７】
このように構成されたスライド金具４を先の実施例スライド金具４の代わりに用いることができる。その様子を表したものが図２３である。
スライド金具４の引っ掛け片４２ａを傾けて、屋根上設置用取り付け金具１の天面下がり片２１ａに引っ掛け、アーム４３ａを回転させながら天面２１に載せる。このようにして、スライド金具４を屋根上設置用取り付け金具１の天面２１に引っ掛けるようにして、取り付ける。このとき、取り付け面４１が天面２１よりもわずかに低くなるように設計されている。
その後は、前述の実施例と同じ作業の仕方で固定していく。
【図面の簡単な説明】
【００４８】
【図１】本発明一実施例の屋根上設置用取り付け金具１の斜視図である。
【図２】図１を背面側から見た斜視図である。
【図３】本発明一実施例の断面図である。
【図４】本発明一実施例の支持部２の斜視図である。
【図５】本発明一実施例の支持部２の断面図である。
【図６】本発明一実施例の支持部２に設計変更を加えたものの端部を拡大した図である。
【図７】本発明一実施例の可動部３の斜視図である。
【図８】図７を背面側から見た斜視図である。
【図９】図１の屋根上設置用取り付け金具１に設計変更を加えた図である。
【図１０】図１の屋根上設置用取り付け金具１に設計変更を加えた図である。
【図１１】本発明一実施例の使用状態等の説明図である。
【図１２】本発明一実施例の使用状態等の説明図である。
【図１３】本発明一実施例の使用状態等の説明図である。
【図１４】本発明一実施例の使用状態等の説明図である。
【図１５】本発明一実施例の使用状態等の説明図である。
【図１６】本発明一実施例の使用状態等の説明図である。
【図１７】本発明実施例のスライド金具４の斜視図である。
【図１８】本発明実施例のスライド金具４を用いた場合の使用状態を表す図である。
【図１９】本発明実施例のスライド金具４を用いた場合の使用状態を表す図である。
【図２０】本発明実施例のスライド金具４を用いた場合の使用状態を表す図である。
【図２１】本発明実施例のスライド金具４を用いた場合の使用状態を表す図である。
【図２２】スライド金具４の他の実施例の斜視図である。
【図２３】図２２のスライド金具４を用いた場合の使用状態を表す図である。
【図２４】従来の技術を表す図である。
【図２５】従来の技術を表す図である。
【図２６】従来の技術を表す図である。
【図２７】従来の技術を表す図である。
【符号の説明】
【００４９】
１      屋根上設置用取り付け金具
２      支持部
２１    天面
２１ａ   天面下がり片
２２    脚部
２３    底面
２３ａ  差し込み片
２３ｂ  傾斜面
３      可動部
３１    押さえ面
３２    押圧部分
３３    固定面
４      スライド金具
４１    取り付け面
４２    内側側面
４２ａ  引っ掛け片
４３    外側側面
４３ａ  アーム
４４    連結面
４５    下がり面
Ａ      穴
Ｂ      留め具
Ｃ      横桟
Ｈ      補助金具
Ｊ      ジョイント金具
Ｋ      屋根上設置物用架台
ＭＡ    水抜き穴
ＮＡ    雌ねじとなる穴
Ｔ      縦桟
Ｙ      横葺き屋根材
【図１】
2008196230.tif 000003
【図２】
2008196230.tif 000004
【図３】
2008196230.tif 000005
【図４】
2008196230.tif 000006
【図５】
2008196230.tif 000007
【図６】
2008196230.tif 000008
【図７】
2008196230.tif 000009
【図８】
2008196230.tif 000010
【図９】
2008196230.tif 000011
【図１０】
2008196230.tif 000012
【図１１】
2008196230.tif 000013
【図１２】
2008196230.tif 000014
【図１３】
2008196230.tif 000015
【図１４】
2008196230.tif 000016
【図１５】
2008196230.tif 000017
【図１６】
2008196230.tif 000018
【図１７】
2008196230.tif 000019
【図１８】
2008196230.tif 000020
【図１９】
2008196230.tif 000021
【図２０】
2008196230.tif 000022
【図２１】
2008196230.tif 000023
【図２２】
2008196230.tif 000024
【図２３】
2008196230.tif 000025
【図２４】
2008196230.tif 000026
【図２５】
2008196230.tif 000027
【図２６】
2008196230.tif 000028
【図２７】
2008196230.tif 000029